(57)【要約】【課題】  資源の有効活用を可能とした、温泉水からのエホルギー回収方法を提供することである。【解決手段】  エネルギー回収を行う熱交換機に温泉水と冷水を供給する段階と、熱交換機に供給される冷水の第１温度を検出する段階と、熱交換機から排出される冷水の第２温度を検出する段階と、熱交換機から排出される冷水の流量を検出する段階と、冷水の第１温度、第２温度および流量に基づいて、温泉水から冷水に移動した熱量を計算する段階とを含むことを特徴とする、温泉水を利用したエネルギー回収方法が提供される。好ましくは、熱交換によって加温された冷水を、更に加温し所望の温度にして、所要に用途に利用する段階を含む。【選択図】  図１
2010091199.tif 000002
【特許請求の範囲】
【請求項１】
温泉水を利用したエネルギー回収方法であって、
エネルギー回収を行う熱交換機に温泉水と冷水を供給する段階と、
前記熱交換機に供給される冷水の第１温度を検出する段階と、
前記熱交換機から排出される冷水の第２温度を検出する段階と、
前記熱交換機から排出される冷水の流量を検出する段階と、
冷水の前記第１温度、前記第２温度および前記流量に基づいて、温泉水から冷水に移動した熱量を計算する段階と、
を含むことを特徴とする方法。
【請求項２】
前記熱量を計算する段階が、前記第１温度、前記第２温度および前記流量に関するデータが制御ユニットに送られ、前記制御ユニットから有線通信又は無線通信で管理センターに送られ、前記管理センターにおいて温泉水から冷水に移動した熱量が計算されるようになっていることを特徴とする請求項１に記載された方法。
【請求項３】
熱交換によって加温された冷水を、更に加温し所望の温度にして、所要の用途に利用する段階を含むことを特徴とする請求項１又は２に記載された方法。
【発明の詳細な説明】
【技術分野】
【０００１】
本発明は、温泉水を利用したエネルギー回収方法に関する。
【背景技術】
【０００２】
我が国は、火山国と言われるほど火山の多い国であり、全国各地に多数の温泉があり、温泉水が湧出している。
【発明の開示】
【発明が解決しようとする課題】
【０００３】
しかしながら、湧出している温泉水はその一部が温泉に使用されているものの、湧出状態のままで放置されている場合も多く、資源の有効活用が図られていないという課題があった。
【０００４】
本発明は、このような状況に鑑みて案出されたものであって、資源の有効活用を可能とした、温泉水からのエネルギー回収方法を提供することを目的とする。
【課題を解決するための手段】
【０００５】
本願請求項１に記載の温泉水を利用したエネルギー回収方法は、エネルギー回収を行う熱交換機に温泉水と冷水を供給する段階と、前記熱交換機に供給される冷水の第１温度を検出する段階と、前記熱交換機から排出される冷水の第２温度を検出する段階と、前記熱交換機から排出される冷水の流量を検出する段階と、冷水の前記第１温度、前記第２温度および前記流量に基づいて、温泉水から冷水に移動した熱量を計算する段階とを含むことを特徴とするものである。
【０００６】
本願請求項２に記載の温泉水を利用したエネルギー回収方法は、前記請求項１の方法において、前記熱量を計算する段階が、前記第１温度、前記第２温度および前記流量に関するデータが制御ユニットに送られ、前記制御ユニットから有線通信又は無線通信で管理センターに送られ、前記管理センターにおいて温泉水から冷水に移動した熱量が計算されるようになっていることを特徴とするものである。
【０００７】
本願請求項３に記載の温泉水を利用したエネルギー回収方法は、前記請求項１又は２の方法において、熱交換によって加温された冷水を、更に加温し所望の温度にして、所要の用途に利用する段階を含むことを特徴とするものである。
【発明の効果】
【０００８】
本発明の方法によれば、従来は必ずしも有効に活用されていなかった温泉水のエネルギーを比較的簡単な方法で容易に活用することが可能になった。また、本発明の方法では、熱量の計算が管理センターで一括して行われるので、温泉水の湧出箇所まで出向く必要がなく、手間を軽減することができる。さらに、熱交換によって取得した熱エネルギーを利用することにより、例えば冷水の加温よりも少ない熱エネルギーで所望温度の温水を得ることができ、コスト低減を実現することができる。或いは、熱交換によって取得した熱エネルギーを例えば量り売り等することにより、従来は放置していた資源の有効活用を図ることができる。
【発明を実施するための最良の形態】
【０００９】
次に図面を参照して、本発明の好ましい実施の形態に係る、温泉水を利用したエネルギー回収方法について詳細に説明する。図１は、本発明の好ましい実施の形態に係るエネルギー回収方法の手順を示したフロー図、図２は、図１のエネルギー回収方法における計量システムを模式的に示したブロック図である。
【００１０】
まず最初に、エネルギー回収を行う熱交換機１０に冷水と温泉水を供給する。図２において、参照符号１２、１４は、冷水入口、温泉水入口をそれぞれ示している。なお、熱交換機１０に供給される冷水の温度をセンサ１６で検出する。
【００１１】
熱交換機１０において、温泉水から冷水に熱エネルギーが供給される（すなわち、冷水が加温され、加温された熱エネルギー分だけ温泉水の温度が低下する）。熱交換が行われた冷水と温泉水は、冷水出口１８、温泉水出口２０をそれぞれ介して、熱交換機１０から排出される。なお、熱交換機１０から排出される冷水の温度をセンサ２２で検出する。
【００１２】
次いで、熱交換機１０から排出される冷水の流量を流量計２４で検出する。
【００１３】
一方、センサ１６で検出された熱交換前の冷水の温度データＴ1 と、センサ２２で検出された熱交換後の冷水の温度データＴ2 を制御ユニット２６に送る。また、流量計２４で検出された冷水の流量データＦを制御ユニット２６に送る。
【００１４】
なお、制御ユニット２６としては、一般的な型式のパーソナル・コンピュータを使用してもよいし、マイクロ・コンピュータを使用してもよい。或いは、制御ユニット２６と通信ユニット２８が一体化した携帯通信端末機のようなものを使用してもよい。
【００１５】
制御ユニット２６に送られたデータは、通信ユニット２８（２８ａは無線アンテナ）を介して、管理センターの通信ユニット３０（３０ａは無線アンテナ）に無線送信され、管理センターの計算ユニット３２において、送られたデータＴ1 、Ｔ2 、Ｆから、温泉水から冷水に移動した熱エネルギーの熱量Ｑを
Ｑ＝（Ｔ2 −Ｔ1 ）×Ｆ
に基づいて計算する。
【００１６】
なお、計算ユニット３２としては、一般的な型式のパーソナル・コンピュータを使用してよい。また、通信ユニット３０と計算ユニット３２は、一体化したものでもよい。
【００１７】
次いで、熱交換によって加温された冷水を、更に加温して所望の温度にする等して、所要の用途に利用する。
【００１８】
次に、図３を参照して、具体例に基づいて、本発明のエネルギー回収方法の実施について説明する。使用する温泉水の温度が８０°Ｃと６０°Ｃの２種類とし、冷水の温度が１０°Ｃであるとする。８０°Ｃの温泉水ａを１５０リットル／分、６０°Ｃの温泉水ｂを２５０リットル／分（従って、６７．５°Ｃの温泉水を４００リットル／分供給するのと同様となる）、１０°Ｃの冷水をチタン製プレート式熱交換機に供給する。この熱交換により、温泉水が５０°Ｃになったと仮定する。５０°Ｃになった温泉水は、温泉水タンクに貯留され、浴槽へ適宜供給される。
【００１９】
熱交換により冷水に移動した熱量は、
（６７．５−５０）×４００リットル×６０分＝４２０，０００kcal／時
となる。換言すると、温泉水ａ／温泉水ｂから４２０，０００kcal／時の熱量が回収されたこととなる。Ａ重油熱量が８，０００kcal／時であるので、回収された熱量を重油消費量に換算すると、
４２０，０００kcal／時÷８，０００kcal／時（Ａ重油熱量）
＝５２．５リットル
となり、熱交換作業を平均して１日１０時間行うとすると、
５２．５リットル／時×１０＝５２５リットル／日
の重油に相当する熱量が回収されることとなる。
【００２０】
一方、このようにして加温された温水は、給湯タンクに貯留され、ボイラにより所望温度まで更に加温されて、出湯として所要の用途に供される。温泉水を利用して加温された温水を利用することにより、冷水を加温するよりも、少ない熱エネルギーで足り、コスト低減を実現することができる。
【００２１】
また、給湯用温水としての利用以外に、加温された水又は加温水を他のエネルギーに変換したものを、他の用途に供したり、例えば量り売りのような型式で販売したりしてもよい。
【００２２】
本発明は、以上の発明の実施の形態に限定されることなく、特許請求の範囲に記載された発明の範囲内で、種々の変更が可能であり、それらも本発明の範囲内に包含されるものであることはいうまでもない。
【００２３】
たとえば、前記実施の形態では、温泉水の湧出箇所から管理センターまでデータが無線送信されるようになっているが、電話回線などを用いてデータを有線送信してもよい。
【図面の簡単な説明】
【００２４】
【図１】本発明の好ましい実施の形態に係るエネルギー回収方法の手順を示したフロー図である。
【図２】図１のエネルギー回収方法における計量システムを模式的に示したブロック図である。
【図３】図１のエネルギー回収方法の具体例を示したブロック図である。
【符号の説明】
【００２５】
１０  熱交換機
１２  冷水入口
１４  温泉水入口
１６  温度センサ
１８  冷水出口
２０  温泉水出口
２２  温度センサ
２４  流量計
２６  制御ユニット
２８、３０  無線通信ユニット
３２  計算ユニット
【図１】
2010091199.tif 000003
【図２】
2010091199.tif 000004
【図３】
2010091199.tif 000005